(57)【要約】【課題】斬新な電飾効果を発揮する電飾装置を提供する。【解決手段】光源５０を点灯させると、光源５０から照射された光が反射板１３によって箱体１１の前面１１ａに向けて反射され、さらに、前面１１ａによって反射されて回転部材３０の回転部材本体３１の裏面に照射される。次に、モータ２１を作動させて回転部材３０を回転させると、光源５０から照射された光の前方に回転部材３０の開口３１ａと開口３１ａ以外の部分とが繰り返し現れることで透光と遮光とが繰り返され、ストロボ効果などの視覚現象が現れる。さらに、回転部材４０を手動で回転させると、回転部材３０の開口３１ａを透過した光の前方に回転部材４０の開口４０ｂと開口４０ｂ以外の部分とが繰り返し現れることで透光と遮光とが繰り返されて、回転部材３０による視覚現象を変化させる。【選択図】図２
2013034589.tif 000002
【特許請求の範囲】
【請求項１】
光を照射する光源と、
回転可能に支持され、前記光源から照射された光を遮断する遮光部と透過させる透過部とを有する複数の回転部材と、
を備え、
前記複数の回転部材のうち一つ目の回転部材においては、前記光源から照射された光を前記透過部が透過させる一方で前記遮光部が遮断し、
前記複数の回転部材のうち二つ目以降の回転部材においては、その一つ前の回転部材の前記透過部を透過した光を前記透過部が透過させる一方で前記遮光部が遮断すること
を特徴とする遊技機用の電飾装置。
【請求項２】
請求項１に記載の遊技機用の電飾装置において、
前記光源は、前記光を照射する際に点灯と消灯とを繰り返す周期を変更可能であることを特徴とする遊技機用の電飾装置。
【請求項３】
請求項１または請求項２の何れか１項に記載の遊技機用の電飾装置において、
前記光源は、照射する光の周波数を変更可能であることを特徴とする遊技機用の電飾装置。
【発明の詳細な説明】
【技術分野】
【０００１】
本発明は遊技機の技術分野に属し、詳細には遊技機用の電飾装置に関する。
【背景技術】
【０００２】
パチンコ機に代表される弾球遊技機やスロットマシン等の遊技機には、遊技に関連して演出効果を発揮する電飾装置が設けられている。
例えば特許文献１の遊技部品は、多数の反射板からなる反射面を互いに内側に向き合わせる組み合わせによって前側に開口した角錐形の反射空洞を形成する万華鏡箱の内部に、ＬＥＤから照射された光を導入して、反射面に映し出された複雑な光模様の万華鏡像を反射空洞の前側の開口から遊技者に見せるようになっている。
【先行技術文献】
【特許文献】
【０００３】
【特許文献１】特開２００６−１３６３７７号公報
【発明の概要】
【発明が解決しようとする課題】
【０００４】
しかし、光を複数の反射面にて反射させることで複雑な模様を作り出す技術としての万華鏡はそれ自体は周知であり、斬新な電飾効果が求められている。
本発明は、このような課題に鑑みなされたものであり、その目的とするところは、斬新な電飾効果を発揮する電飾装置を提供することにある。
【課題を解決するための手段】
【０００５】
上記課題を解決するためになされた請求項１に係る遊技機用の電飾装置は、光を照射する光源と、回転可能に支持され、前記光源から照射された光を遮断する遮光部と透過させる透過部とを有する複数の回転部材と、を備え、前記複数の回転部材のうち一つ目の回転部材においては、前記光源から照射された光を前記透過部が透過させる一方で前記遮光部が遮断し、前記複数の回転部材のうち二つ目以降の回転部材においては、その一つ前の回転部材の前記透過部を透過した光を前記透過部が透過させる一方で前記遮光部が遮断することを特徴とする。
【０００６】
このように構成された本発明の遊技機用の電飾装置によれば、次のような作用効果を奏する。
すなわち、複数の回転部材のうち一つ目の回転部材が回転すると、光源から照射された光の前方にこの回転部材の透過部と遮光部とが繰り返し現れることで透光と遮光とが繰り返され、ストロボ効果などの視覚現象が現れる。
【０００７】
続いて、複数の回転部材のうち二つ目の回転部材が回転すると、一つ目の回転部材の透過部を透過した光の前方にこの回転部材の透過部と遮光部とが繰り返し現れることで透光と遮光とが繰り返され、一つ目の回転部材による視覚現象を変化させる。
【０００８】
また、複数の回転部材が三つ以上存在する場合には、三つ目以降の回転部材が回転すると、一つ前の回転部材の透過部を透過した光の前方にこの回転部材の透過部と遮光部とが繰り返し現れることで透光と遮光とが繰り返され、一つ前の回転部材による視覚現象を更に変化させる。
【０００９】
したがって、本発明の遊技機用の電飾装置によれば、斬新な電飾効果を発揮することができる。
請求項２に係る遊技機用の電飾装置は、請求項１に記載の遊技機用の電飾装置において、前記光源は、前記光を照射する際に点灯と消灯とを繰り返す周期を変更可能であることを特徴とする。
【００１０】
このように構成された本発明の遊技機用の電飾装置によれば、光源が光を照射する周期を変更することによって一つ目の回転部材による視覚現象が変化し、これに伴って二つ目以降の回転部材による視覚現象も変化して、より斬新な電飾効果を発揮することができる。
【００１１】
請求項３に係る遊技機用の電飾装置は、請求項１または請求項２の何れか１項に記載の遊技機用の電飾装置において、前記光源は、照射する光の周波数を変更可能であることを特徴とする。
【００１２】
このように構成された本発明の遊技機用の電飾装置によれば、光源が照射する光の周波数を変更することによって一つ目の回転部材による視覚現象が変化し、これに伴って二つ目以降の回転部材による視覚現象も変化して、より斬新な電飾効果を発揮することができる。
【図面の簡単な説明】
【００１３】
【図１】実施形態の電飾装置１の平面図（ａ）、側面図（ｂ）
【図２】ＡＡ断面図
【図３】実施形態の電飾装置１の分解斜視図
【発明を実施するための形態】
【００１４】
以下に本発明の実施形態を図面とともに説明する。
［実施形態］
図１に示す本実施形態の電飾装置１は、図示しない遊技機（パチンコ機、パチスロ機等）の前面パネル（図示省略）の中央や下部左側などに装備される。なお、前面パネルは前面が遊技者に対面する部材に該当する。前面パネルは遊技機の本体枠（外枠ともいう）にヒンジ構造で連結されており、扉状に開閉可能である。なお、前面パネルは通常は閉じられている。
【００１５】
なお、電飾装置１の前面パネルへの取付形態によっては後述する筐体１０の形状が異なる場合や筐体１０がない場合もある。
［１．電飾装置１の構成］
次に、電飾装置１の構成を説明する。
【００１６】
図２，３に示すように、電飾装置１は、筐体１０と、モータユニット２０と、回転部材３０と、回転部材４０と、光源５０と、を備える。
［１．１．筐体１０の構成］
筐体１０は、後端が開放する箱形状の箱体１１の前面１１ａに円筒形状の円筒部１２を取り付けた構成を有している。
【００１７】
このうちの箱体１１においては、前面１１ａの中央に円形の貫通孔１１ｂが形成されるとともに、この貫通孔１１ｂの周囲には円筒形状の円筒部１１ｃが形成されている。なお、円筒部１２の中心軸と箱体１１の貫通孔１１ｂおよび円筒部１１ｃの中心軸とは一致するよう設定されている。また、円筒部１１ｃには、後述する回転部材３０が取り付けられている。
【００１８】
また、円筒部１２の外周面には、４つのボス１２ａが円周を４等分する位置にそれぞれ形成されている。また、円筒部１２には、後述する光源５０が取り付けられている。
また、筐体１０は、円筒形状の反射板１３を備えている。この反射板１３は、後端から前端に行くに従って径寸法が大きくなるよう形成されており、箱体１１の円筒部１１ｃに外挿されている。そして、反射板１３は、後述する光源５０から照射される光を斜め後方にある箱体１１の上面１１ａへ向けて反射するようになっている。
【００１９】
また、筐体１０は、円盤状のカバー１４を備えている。このカバー１４の外周面には、４つの舌片１４ａが円周を４等分する位置にそれぞれ形成され、これら４つの舌片１４ａが円筒部１２の４つのボス１２ａにビスで取り付けられて、カバー１４が円筒部１２の開口部１２ｂを覆っている。また、カバー１４の前面には円柱状の支持部１４ｂが形成され、支持部１４ｂには後述する回転部材４０が回転可能に取り付けられている。
【００２０】
［１．２．モータユニット２０の構成］
モータユニット２０は、モータ２１と、ブラケット２２と、ジョイント２３と、を備えている。モータ２１は、箱体１１の前面１１ａの裏側に、ブラケット２２を介して取付けられている。このとき、モータ２１の出力軸２１ａは、円筒部１１ｃの内部に配置される。そして、モータ２１の出力軸２１ａには円筒状のジョイント２３が外挿されている。
【００２１】
なお、モータ２１は、回転状態と停止状態との切替および回転時の回転速度が外部の制御部（図示省略）によって制御される。なお、モータ２１を制御する制御部を筐体１０の箱体１１の内部に収容してもよい。
【００２２】
そして、モータユニット２０は、モータ２１の出力軸２１ａを回転させて、ジョイント２３を介して回転部材３０を正面から見て反時計回りに回転させることができる。
［１．３．回転部材３０の構成］
回転部材３０は、円盤状の回転部材本体３１の裏面に円筒形状の回転軸３２を取り付けた構成を有している。具体的には、回転部材本体３１の中央には６個の取付孔３１ｂが円周上に等間隔になるよう形成されており、これら取付孔３１ｂから挿入したビス（図示省略）を回転軸３２の前部に形成された取付孔（図示省略）にねじ入れることで回転部材本体３１に回転軸３２が取り付けられている。
【００２３】
また、回転部材本体３１には、前面から裏面に貫通する開口３１ａが多数形成されている。各開口３１ａは、回転部材本体３１の中心側から外縁側に行くに従って回転部材本体３１の径方向から回転方向の反対側へ徐々に離間する形状を有する。なお、回転部材本体３１の開口３１ａ以外の部分が遮光部に該当し、開口３１ａが透過部に該当する。
【００２４】
そして、回転軸３２は、筐体１０の円筒部１１ｃに内挿されるとともに、モータユニット２０のジョイント２３に外挿されている。このとき、回転部材３０は、円筒部１２の内部に配置される。
【００２５】
［１．４．回転部材４０の構成］
回転部材４０は円盤形状に形成されるとともに、その中央に円形の取付孔４０ａが形成され、取付孔４０ａにカバー１４の支持部１４ｂを内挿することで、カバー１４に回転可能に取り付けられている。なお、本実施形態では、回転部材４０の回転軸が回転部材３０の回転軸と一致するよう設定されている。
【００２６】
また、回転部材４０には、回転部材４０の径方向に沿って前面から裏面に貫通する開口４０ｂが多数形成されている。なお、回転部材４０の開口４０ｂ以外の部分が遮光部に該当し、開口４０ｂが透過部に該当する。
【００２７】
そして、回転部材４０は、手動によって回転させることができる。
［１．５．光源５０の構成］
光源５０は、円環形状に形成された基板の内面に複数のＬＥＤ（図示省略）を取り付けた構成を有し、筐体１０の円筒部１２に内挿されている。
【００２８】
各ＬＥＤは、頭部が基板内部に向く姿勢で基板上に等間隔となるよう配置され、基板内部に配置される反射板１３に向けて光を照射するようになっている。
また、光源５０は、点灯と消灯との切替、点灯と消灯とを繰り返す周期および照射する光の周波数が外部の制御部（図示省略）によって制御される。なお、光源５０を制御する制御部を筐体１０の箱体１１の内部に収容してもよい。
【００２９】
［２．電飾装置１の動作］
次に、電飾装置１の動作を説明する。
まず、光源５０を点灯させると、光源５０から照射された光が反射板１３によって箱体１１の前面１１ａに向けて反射され、さらに、前面１１ａによって反射されて回転部材３０の回転部材本体３１の裏面に照射される。
【００３０】
次に、モータ２１を作動させて回転部材３０を回転させると、光源５０から照射された光の前方に回転部材３０の開口３１ａと開口３１ａ以外の部分とが繰り返し現れることで透光と遮光とが繰り返され、ストロボ効果などの視覚現象が現れる。
【００３１】
さらに、回転部材４０を手動で回転させると、回転部材３０の開口３１ａを透過した光の前方に回転部材４０の開口４０ｂと開口４０ｂ以外の部分とが繰り返し現れることで透光と遮光とが繰り返されて、回転部材３０による視覚現象を変化させる。
【００３２】
なお、光源５０を点灯と消灯とを繰り返して点滅させたり点滅の周期を変更させたりすると回転部材３０による視覚現象が変化し、これに伴って回転部材４０による視覚現象も変化する。
【００３３】
また、光源５０が照射する光の周波数を変更させて様々な色の可視光を照射させても、上述の視覚現象が更に変化する。
また、回転部材３０の回転速度や回転部材４０の回転速度を変化させると回転部材３０による視覚現象が変化し、これに伴って回転部材４０による視覚現象も変化する。
【００３４】
［３．実施形態の効果］
（１）このように本実施形態の電飾装置１によれば、回転部材３０を回転させるとストロボ効果などの視覚現象が現れ、さらに、回転部材４０を手動で回転させると回転部材３０による視覚現象が変化するので、斬新な電飾効果を発揮することができる。
【００３５】
（２）また、本実施形態の電飾装置１によれば、光源５０を点灯と消灯とを繰り返して点滅させたり点滅の周期を変更させたりすると回転部材３０による視覚現象が変化し、これに伴って回転部材４０による視覚現象も変化して、より斬新な電飾効果を発揮することができる。
【００３６】
（３）また、本実施形態の電飾装置１によれば、光源５０が照射する光の周波数を変更させて様々な色の可視光を照射させると回転部材３０による視覚現象が変化し、これに伴って回転部材４０による視覚現象も変化して、より斬新な電飾効果を発揮することができる。
【００３７】
（４）また、本実施形態の電飾装置１によれば、回転部材３０の回転速度や回転部材４０の回転速度を変化させると、回転部材３０による視覚現象や回転部材４０による視覚現象が変化して、より斬新な電飾効果を発揮することができる。
【００３８】
（５）また、本実施形態の電飾装置１によれば、回転部材３０の開口３１ａの形状、配置および数量と、回転部材４０の開口４０ｂの形状、配置および数量とが異なるので、斬新な電飾効果を発揮することができる。
【００３９】
［４．他の実施形態］
以上、本発明の一実施形態について説明したが、本発明は上記実施形態に限定されるものではなく、以下のような様々な態様にて実施することが可能である。
【００４０】
（１）上記実施形態では、電飾装置１が２つの回転部材３０，４０を備えるが、これには限られず、３つ以上の回転部材を備えるように構成してもよい。すなわち、回転部材が３つ以上存在する場合には、３つ目以降の回転部材が回転すると、一つ前の回転部材の透過部を透過した光の前方にこの回転部材の透過部と遮光部とが繰り返し現れることで透光と遮光とが繰り返し行われ、一つ前の回転部材による視覚現象を変化させる。したがって、より斬新な電飾効果を発揮することができる。
【００４１】
（２）また、上記実施形態では、回転部材３０をモータ２１で回転駆動するとともに回転部材４０を手動で回転させるように構成されているが、これには限られず、回転部材３０を回転部材４０と同様に手動で回転させるように構成してもよい。
【００４２】
（３）また、回転部材４０を回転部材３０と同様にモータで回転駆動するように構成してもよい。
（４）また、回転部材３０の開口３１ａの形状や配置、数量などを変更してもよい。また、回転部材４０の開口４０ｂの形状や配置、数量などを変更してもよい。
【００４３】
（５）上記実施形態では、回転部材３０の開口３１ａの形状、配置および数量と、回転部材４０の開口４０ｂの形状、配置および数量とが異なるが、これには限られず、回転部材３０の開口３１ａの形状、配置および数量と、回転部材４０の開口４０ｂの形状、配置および数量とを同一にしてもよい。
【符号の説明】
【００４４】
１…電飾装置、１０…筐体、１１…箱体、１１ａ…上面、１１ｂ…貫通孔、１１ｃ…円筒部、１２…円筒部、１２ａ…ボス、１２ｂ…開口部、１３…反射板、１４…カバー、１４ａ…舌片、１４ｂ…支持部、２０…モータユニット、２１…モータ、２１ａ…出力軸、２２…ブラケット、２３…ジョイント、３０…回転部材、３１…回転部材本体、３１ａ…開口、３１ｂ…取付孔、３２…回転軸、４０…回転部材、４０ａ…取付孔、４０ｂ…開口、５０…光源
【図１】
2013034589.tif 000003
【図２】
2013034589.tif 000004
【図３】
2013034589.tif 000005